(57)【要約】【課題】本発明は、皮膚病や手術後の愛玩動物の首に装着することで、犬が患部を舐めたり噛んだりできる角度まで首を曲げることができず、また、犬の首から容易に脱落しない患部舐め防止器具を提供することを課題とする。【解決手段】愛玩動物用の患部舐め防止器具は、帯状物２と首輪連結部材３によって構成される。前記帯状物２は、長さと幅と厚みを有し、厚み方向と幅方向には圧縮容易であってクッション性を有する。また、長さ方向には少なくとも一方方向に容易に屈曲するが、幅方向には屈曲困難である。前記帯状物は長さ方向の両端が接合されて環状に成形され、前記環状に成形された帯状物が愛玩動物の首に装着され、首輪連結部材３によって首輪１１と連結される。【選択図】図５
2015047111.tif 000002
【特許請求の範囲】
【請求項１】
帯状物と、首輪連結部材によって構成され、首輪が装着された愛玩動物に着用される愛玩動物用の患部舐め防止器具であって、
前記帯状物は、長さと幅と厚みを有し、厚み方向と幅方向には圧縮容易であってクッション性を有し、長さ方向には少なくとも一方方向に容易に屈曲し、幅方向には屈曲困難であり、前記帯状物の長さ方向の両端が接合されて環状に成形され、
前記環状に成形された帯状物が愛玩動物の首に装着され、首輪連結部材によって首輪と連結されることを特徴とする愛玩動物用の患部舐め防止器具。
【請求項２】
前記帯状物は、一方の表面に幅方向に延びる筋が複数設けられたものであることを特徴とする請求項１に記載の愛玩動物用の患部舐め防止器具。
【請求項３】
前記筋は、前記帯状物が厚さ方向に圧縮されて形成されたものであることを特徴とする請求項１又は２に記載の愛玩動物用の患部舐め防止器具。
【請求項４】
前記帯状物は、表裏面が不織布で覆われ、その間にクッション部材が配されたものであることを特徴とする請求項１乃至３のいずれかに記載の愛玩動物用の患部舐め防止器具。
【請求項５】
前記首輪連結部材は、前記帯状物に接着された接着部と、首輪を挿通させる環状部と、前記接着部と前記環状部とを繋ぐ紐状部とを有することを特徴とする請求項１乃至４のいずれかに記載の愛玩動物用の患部舐め防止器具。
【発明の詳細な説明】
【技術分野】
【０００１】
本発明は、皮膚病や外科手術後の犬や猫等の愛玩動物の首に装着する、愛玩動物用の患部舐め防止器具に関する。
【背景技術】
【０００２】
皮膚病や手術後の犬や猫等の愛玩動物（以下、代表して「犬」とする）が、患部をむず痒がって舐めたり噛むことで、傷口に雑菌が入り、症状を悪化させたり、患部の治癒が遅れたりすることがある。従来、これを防止するために、エリザベスカラーと呼ばれる患部舐め防止器具が犬の首に装着される。一般的なエリザベスカラーの形状は、大径の上部開口部と、小径の下部開口部とを有する円錐台状の固い合成樹脂で形成されている。
【０００３】
しかしながら、前記エリザベスカラーの形状は、犬の口吻よりも前方に大径の上部開口部が拡がることで犬の顔の周囲を覆ってしまう。すなわち、犬の視野の大部分を遮り、犬の移動を困難にするという問題があった。また、前記したように、エリザベスカラーの形状は、犬の顔の周囲を覆ってしまうため、犬が自力で食事や睡眠を取ることを困難にするという問題があった。
【０００４】
また、前記したように、エリザベスカラーの形状によって、犬の視野の大部分を遮っているため、犬は、正常な移動が困難になる。従って、固いエリザベスカラーが家具や電柱等に当たり、その際に発生する音により、犬がストレスを感じるという問題があった。さらに、前記の様々な問題により、犬にストレスが溜まり、嘔吐や下痢等の症状が生じるという問題もあった。
【０００５】
このような問題を解決するために、特許文献１には、首を大きく傾けることを阻止できる幅、厚み及び通気性を有し、且つクッション性を有するが、原型復帰力の強い特性を有し、係止手段によって着脱可能に係止される患部舐め防止用の首巻きが開示されている。
すなわち、特許文献１の首巻きは、犬が患部を舐めようとしても、首巻きの幅、厚み、原型復帰力の強さが邪魔になり、患部を舐めたり噛んだりすることができる位置まで首を大きく傾けることができず、患部の治癒が遅れたり、症状が悪化することがない。また、前記エリザベスカラーと異なり、犬の顔の周囲を覆う程大きくないため、食事や睡眠、移動等の犬の行動を制限しない。すなわち、エリザベスカラーと比べ、特許文献１の首巻きは、犬のストレスを軽減しながら、犬が患部を舐めたり噛んだりしようとするのを防止することができる。
【先行技術文献】
【特許文献】
【０００６】
【特許文献１】実用新案登録第３１５８２７１号公報
【発明の概要】
【発明が解決しようとする課題】
【０００７】
しかしながら、特許文献１の首巻きは、犬の首からの脱落を防止するために、係止手段をかなりきつく締める必要があり、犬に負担をかけるという問題があった。また、パグ、シーズー等の短吻種は顔よりも首回りの方が太いため、特許文献１の首巻きを係止手段によりかなりきつく締めたとしても、容易に脱落してしまうという問題もあった。さらに、短吻種以外でも、起用な犬ならば、前肢や後肢を使って取り外してしまうという問題があった。
【０００８】
また、特許文献１の首巻きは、曲がり方向に特異性がなく、どの方向に屈曲させるのにも、同一の力が必要であるという問題もあった。すなわち、特許文献１の首巻きを犬の首に装着する際においても、首巻きの原型復帰力による強い抵抗を受けるため、装着しづらく、手間であった。
また、特許文献１は、前記エリザベスカラーと比べるとサイズはコンパクトになっているが、それでもなお、厚みが厚く、丈も高いため、犬が鬱陶しがって装着を嫌がるという問題もあった。加えて、特許文献１を小型犬や首の短い犬に装着した場合、前記のような厚みと丈の高さから、コルセットを装着しているような状態になってしまうという問題もあった。すなわち、曲がり方向に特異性がなく、厚み方向及び幅方向に圧縮が困難なため、犬が首を一切曲げることができずに、常に上を向いている状態になり、多大なストレスを感じさせるという問題もあった。
【課題を解決するための手段】
【０００９】
上記課題を達成するため、本発明の請求項１に記載の発明は、帯状物と、首輪連結部材によって構成され、首輪が装着された愛玩動物に着用される愛玩動物用の患部舐め防止器具であって、前記帯状物は、長さと幅と厚みを有し、厚み方向と幅方向には圧縮容易であってクッション性を有し、長さ方向には少なくとも一方方向に容易に屈曲し、幅方向には屈曲困難であり、前記帯状物の長さ方向の両端が接合されて環状に成形され、前記環状に成形された帯状物が愛玩動物の首に装着され、首輪連結部材によって首輪と連結されることを特徴とする愛玩動物用の患部舐め防止器具である。
【００１０】
本発明の愛玩動物用の患部舐め防止器具は、曲がり方向に方向性を有する。すなわち、帯状物は幅方向には屈曲困難であるから、前記愛玩動物用の患部舐め防止器具を装着した犬が、患部を舐めたり噛んだりしようとしても、犬の口先が患部に届くまで首を曲げることができない。よって、患部を舐めたり噛んだりすることにより、症状を悪化させたり、患部の治癒を遅らせることがない。
【００１１】
また、本発明は、長さ方向の少なくとも一方方向には容易に屈曲するため、容易に帯状物の長さ方向の両端を接合し、環状を成形することが可能である。すなわち、本発明の愛玩動物用の患部舐め防止器具は、飼い主または獣医が犬の首に装着する前の準備として、帯状物を環状に成形する必要があるが、この準備を容易に行うことができる。
【００１２】
また、本発明は、帯状物が厚み方向と幅方向に圧縮が容易であるクッション性を有する。すなわち、厚み方向と、幅方向にクッション性を有するため、合成樹脂性のエリザベスカラーのように固すぎず、装着しても犬が痛がらない。
【００１３】
また、本発明は、エリザベスカラーのように、犬の顔を覆い、視野を遮る程の大きさはなく、犬の首部分に巻く程の大きさであるため、犬が自由に食事や睡眠を取ることができ、且つ、犬が移動する際に障害物にぶつかることもなく、犬のストレスにならない。
【００１４】
また、本発明は、犬が愛玩動物用の患部舐め防止器具を取り外そうとしても、帯状物が首輪連結部材によって首輪と連結されているため、自らの前肢や後肢を使って容易に取り外すことができない。すなわち、特許文献１のように、簡単に脱落しないようにきつく締めて犬にストレスを感じさせるのではなく、首輪連結部材によって首輪と帯状物を連結することで、帯状物の脱落または取り外しを防止するため、帯状物を、犬がストレスを感じない程度の緩さで装着することが可能である。
【００１５】
請求項２に記載の発明は、前記帯状物は、一方の表面に幅方向に延びる筋が複数設けられたものであることを特徴とする請求項１に記載の愛玩動物用の患部舐め防止器具である。
【００１６】
本発明の愛玩動物用の患部舐め防止器具は、帯状物の一方の表面に幅方向に延びる筋を複数設けることで、長さ方向の一方方向に、より容易に屈曲させることが可能である。
【００１７】
請求項３に記載の発明は、前記筋は、前記帯状物が厚さ方向に圧縮されて形成されたものであることを特徴とする請求項１又は２に記載の愛玩動物用の患部舐め防止器具である。
【００１８】
本発明の愛玩動物用の患部舐め防止器具のうち、帯状物が厚さ方向に圧縮されて形成されたものである前記筋の形状は、長さ方向の一方方向により容易に屈曲させるのに、好適な形状である。
【００１９】
請求項４に記載の発明は、前記帯状物は、表裏面が不織布で覆われ、その間にクッション部材が配されたものであることを特徴とする請求項１乃至３のいずれかに記載の愛玩動物用の患部舐め防止器具である。
【００２０】
本発明の愛玩動物用の患部舐め防止器具は、表裏面が不織布で覆われ、その間にクッション部材が配されているため、犬が患部を舐めたり噛んだりするために首を曲げようとした際に、帯状物の復元力による抵抗を、クッション部材によって軟らかく感じ、犬の首を傷つけたり、ストレスを生じさせずに、犬が患部を舐めたり噛んだりすることを諦めさせることが可能である。
【００２１】
請求項５に記載の発明は、前記首輪連結部材は、前記帯状物に接着された接着部と、首輪を挿通させる環状部と、前記接着部と前記環状部とを繋ぐ紐状部とを有することを特徴とする請求項１乃至４のいずれかに記載の愛玩動物用の患部舐め防止器具である。
【００２２】
本発明の愛玩動物用の患部舐め防止器具は、接着部によって、帯状物と紐状部を繋ぎ、紐状部によって接着部と環状部とを繋ぎ、環状部に首輪を挿通させることで、帯状物と首輪を容易に連結させることができる。すなわち、首輪と連結させた帯状物を、首輪と共に犬の首に装着することで、首輪を取り外さない限り、犬は自らの前肢や後肢で、帯状物を取り外すことができない。
【発明の効果】
【００２３】
本発明の愛玩動物用の患部舐め防止器具によると、曲がり方向に方向性があるため、犬が首を曲げ難く、患部を舐めたり噛んだりすることができないため、病状が悪化したり、患部の治癒が遅れることがない。また、前記のように曲がり方向に方向性があるため、犬の首に装着する前の準備が容易である。すなわち、帯状物を環状に成形するのが容易である。
【００２４】
また、犬の視野を遮る程の大きさを有しないため、犬は自由に食事や睡眠を取ることができる。さらに、本発明は、特許文献１のように、厚さが厚すぎず、丈も高くないため、犬に装着しても鬱陶しがらない。加えて、帯状物は表裏面に不織布を配し、その間にクッション部材を配して形成されているため、エリザベスカラーと異なり軟らかく、犬が痛がらない。すなわち、犬にストレスを感じさせない。
【００２５】
また、首輪と帯状物とを、犬の鼻先が入らない程度の間隔で首輪連結部材を設けて連結することで、本発明の愛玩動物用の患部舐め防止器具を、犬がストレスを感じない程度の緩さで取り付けることが可能である。また、犬の首への装着は容易であるが、犬は自力で愛玩動物用の患部舐め防止器具を取り外すことができない。
【図面の簡単な説明】
【００２６】
【図１】本発明の実施形態に係る愛玩動物用の患部舐め防止器具を使用した状態を示す説明図である。
【図２】図１の愛玩動物用の患部舐め防止器具における、帯状物を表面側から観察した分解図である。
【図３】図１の愛玩動物用の患部舐め防止器具における、帯状物を裏面側から観察した分解図である。
【図４】図１の愛玩動物用の患部舐め防止器具における、環状に成形した帯状物を観察した斜視図である。
【図５】図１の愛玩動物用の患部舐め防止器具と、首輪を示す斜視図である。
【図６】図１の愛玩動物用の患部舐め防止器具における、首輪連結部材に首輪を挿通し、首輪を帯状物の裏面部分に設置した状態を示す説明図である。
【図７】図１の愛玩動物用の患部舐め防止器具を犬に装着した場合の、首輪連結部材及び首輪に注目した説明図である。
【図８】図１の愛玩動物用の患部舐め防止器具における、首輪連結部材の各部材に注目した斜視図である。
【図９】図１の愛玩動物用の患部舐め防止器具における、帯状物と首輪連結部材を接着した状態を示す斜視図である。
【発明を実施するための形態】
【００２７】
以下に、本実施形態に係る愛玩動物用の患部舐め防止器具１について説明する。
本実施形態の愛玩動物用の患部舐め防止器具１は、基本構成として、図３に示すように、帯状物２と、首輪連結部材３とを備えている。
【００２８】
帯状物２は、弾力性に富んだ紙製発泡体が採用されている。帯状物２は、図２、図３に示すように、表面４と裏面５が不織布１２で覆われ、その間にクッション部材６が配されて成る３層構造である。
【００２９】
図３に示すように、裏面５は、厚さ方向に圧縮されることにより、幅方向に等間隔に筋１３が設けられている。この筋１３、及び筋１３により形成された裏面５のでこぼこにより、帯状物２を長さ方向の裏面５方向（図２に示すＡ方向）に容易に屈曲させ、帯状物２を図４に示すような環状にすることが可能である。
【００３０】
また、犬に愛玩動物用の患部舐め防止器具１を装着した際に、犬が患部を舐めたり噛んだりしようとして、首を曲げようとしても、帯状物２は長さ方向の裏面５方向（図２に示すＡ方向）以外、例えば、図２に示すＢ方向には屈曲困難であるため、次第に犬は首を曲げようとするのに疲れ、患部を舐めたり噛んだりしようとするのを諦める。すなわち、犬は患部を舐めたり噛んだりするために首を曲げるようとするが、帯状物２の復元力による強い抵抗を受け、犬の口先が患部まで届く程曲げることができない。この時、犬は、帯状物２の復元力による強い抵抗を、クッション部材６により軟らかく感じ、痛がらず、ストレスに感じない。
【００３１】
前記のように、長さ方向の裏面５方向（図２に示すＡ方向）に容易に屈曲させた帯状物２は、図４に示すように、帯状物２の長さ方向の両端を表面４及び裏面５の両面から帯状物接着部材１０により接合することで、環状状態に固定される。なお、帯状物接着部材１０は、接着性の強いアセテート布粘着テープが採用されている。
【００３２】
ところで、前記のように、帯状物の素材には紙性発泡体が採用されているため、帯状物２の長さ及びそれに対応する環状の大きさは、犬の口吻または頭蓋に合わせて裁断することが可能である。具体的には、犬の口吻または頭蓋の円周に、人間の指が２乃至３本入る程度の帯状物２の長さ、及びそれに対応する環状の大きさが好適である。同様に、帯状物の幅が長すぎることによって、帯状物を環状にし、犬の首に装着した際に、コルセットのような状態になり、犬が常に上方向にしか向けないような場合には、鋏等で帯状物を長さ方向及び幅方向に裁断し、犬の首の長さや幅にフィットするように調整することが可能である。
【００３３】
各首輪連結部材３は、帯状物接着部材１０と同一の素材で、接着性の強いアセテート布粘着テープが採用されている。また、図３、図５に示すように、首輪連結部材３は、帯状物２と紐状部８とを繋ぐ接着部７と、接着部７と環状部９とを繋ぐ紐状部８と、帯状物２と首輪１１とを連結させる環状部９とを有した構成となっている。また、首輪連結部材３は、帯状部２と首輪１１とを連結させることができる。そのため、犬は自力で帯状物２を取り外すことができない。
【００３４】
図３、図８に示すように、接着部７は、接着部７ａ及び７ｂで形成されている。接着７ａ及び７ｂは、図９に示すように、いずれか一方が表面４の幅方向を通り、もう一方が表面５の幅方向を通り、両者は互いに厚み面１４で接着される。すなわち、接着部７は、帯状物２の表面４と裏面５を幅方向に、厚み面１４を厚み方向に接着することで、首輪連結部材３と帯状物２は強固に連結固定される。
【００３５】
また、図８、図９に示すように、紐状部８は、紐状部８ａ及び８ｂで形成され、接着部７と環状部９を繋ぐ役割を果たす。すなわち、図９に示すように、表面４及び裏面５の幅方向の下端（厚み面１４方向の端部を上端とする）から逸脱した部分のうち、紐状部８ａ及び８ｂを互いに接着させることで、紐状部８の下部に環状部９が形成される。
【００３６】
環状部９は、環状部９ａ及び９ｂで形成されている。環状部９は、図８に示すように、首輪１１と連結した際に、環状部９ａの接着面が首輪１１と接着することがないように、環状部９ａと、予め別個用意した接着性の強いアセテート布粘着テープ（環状部９ｂ）と接合させておき、接着面をなくしておく必要がある。また、図６に示すように、環状部９は、首輪１１を挿通させることで、首輪１１と帯状物２とを連結させることが可能である。そのため、環状部９は、首輪１１が挿通できる程度の環の大きさが必要である。なお、首輪１１は、一般に販売されている首輪であれば何でも良い。
【００３７】
図６に示すように、首輪連結部材３によって帯状部２と連結させた首輪１１は、紐状部８及び環状部９により、帯状部２の裏面５側に折り込まれ、図７に示すように、犬に装着した際には首輪１１は本実施形態の愛玩動物用の患部舐め防止器具１（の帯状部２）によって覆い隠される。
【００３８】
本実施形態の愛玩動物用の患部舐め防止器具１では、図５、図９に示すように、首輪連結部材３が３本、帯状物２に、互いに一定の間隔を開けて取り付けられている。ところで、首輪連結部材３は、その数が多ければ多い程、帯状物２と首輪１１との連結を強固にする。具体的には、犬の鼻先が、帯状物と、首輪連結部材３との間に入ってしまうと、犬は鼻先を使って帯状物２のみを自らの首から脱落させてしまうおそれがある。そのため、首輪連結部材３を、犬の鼻先が帯状物２と首輪１１との間に入らない程度の間隔で少なくとも２本以上設け、帯状物２と首輪１１を連結することで、犬は帯状物２と首輪１１との間に鼻先を入れて、帯状物２のみを、自らの首から自力で脱落させることができない。また、犬が前肢や後肢を使って帯状物２を引っ張り、首輪連結部材３を引きちぎる等して強引に取り外すこともできない。
【００３９】
続いて、本実施形態の愛玩動物用の患部舐め防止器具１の製造手順及び使用方法を説明する。
本実施形態の愛玩動物用の患部舐め防止器具１は、愛玩動物、特に皮膚病や手術後の犬に使用するのに適している。
前記のように、皮膚病や手術後の犬は、患部を舐めたり噛んだりして、患部や病状を悪化させることがあるため、それを防止する必要がある。
【００４０】
そこで、まず、図１に示すように、本実施形態の愛玩動物用の患部舐め防止器具１のうち、帯状物２を、犬の首に緩く装着できるように調整し、帯状物２の余った部分を幅方向及び長さ方向に裁断する。すなわち、帯状物２を環状にした際に、犬の口吻または頭蓋の円周に、人間の指が２乃至３本入る程度の幅に裁断する。同じように、犬の首の長さに合わせて、帯状物２を長さ方向に裁断する。また、帯状物２の厚み方向の厚さは、犬のサイズが大きい場合、首を曲げる力や顎の力が強く、その力に対して、帯状物２の素材復元力では抵抗できない可能性があるため、その場合は犬のサイズに合わせて厚くする
【００４１】
次に、首輪連結部材３を、接着部７ａ、ｂ及び紐状部８ａ、ｂ及び環状部９ａが形成できる長さまで裁断する。すなわち、図８に示すように、帯状物２の表面４及び裏面５の幅方向に接着する長さと、厚み面１４の厚み方向に接着する長さ（接着部７の長さ）と、帯状物２と首輪１１とを連結した際に、首輪１１を帯状物２の裏面５側に折り込むための長さ（紐状部８の長さ）と、首輪１１を首輪連結部材３と連結するための環状部９を形成できる程度の長さを全て足した長さが必要である。つまり、帯状物２を幅方向に周回する長さと環状部９が形成できる長さが必要である。また、首輪連結部材３と首輪１１を連結した際に、環状部９ａの接着面が首輪１１に接着することがないように、予め環状部９ａと、別途、環状部９ａと同一の長さに裁断した環状部９ｂの接着面同士を貼り合わせる。
【００４２】
その後、図９に示すように、首輪連結部材３の接着部７ａを、帯状物２の表面４の幅方向に接着し、接着部７ｂを裏面５の幅方向に接着し、両者を互いに厚み面１４で接着させる。また、首輪連結部材３のうち、表面４及び裏面５の幅方向の他方の端部（すなわち、厚み面１４の端部とは反対側の端部）からの逸脱部分が紐状部８及び環状部９となる。すなわち、帯状物２と首輪１１とを連結した際に、首輪１１を帯状物２の裏面５側まで折り込むことが可能な長さ（紐状部８ａ及び８ｂ）を互いに接着させることで、紐状部８が形成される。紐状部８が形成すれば、紐状部８の下部に環状部９が形成される。このような手順で、首輪連結部材３を帯状物２に少なくとも２本以上、犬の鼻先が入らない間隔で取り付ける。
【００４３】
図９に示すように、本実施形態の愛玩動物用の患部舐め防止器具１では、この首輪連結部材３を一定の間隔で３つ取り付けている。しかし、首輪連結部材３を帯状物２に取り付ける本数は、犬のサイズや種によって異なる。すなわち、首回りが大きい犬に、首輪連結部材３を、例えば２本取り付けた場合、２つの首輪連結部材３の間隔が広くなってしまう。その場合、犬の鼻先が２本の首輪連結部材３の間隔に入り、犬は鼻先を使い、帯状物２を犬の首から脱落させてしまうおそれがある。よって、首輪連結部材３は、犬のサイズや種に合わせて、犬の鼻先が入らない程度の間隔で帯状物２に取り付けるのが好ましい。
【００４４】
次に、帯状物２を長さ方向の裏面５方向（図２に示すＡ方向）に屈曲し、環状状態にする。そして、環状状態にした帯状物２の長さ方向の両端を、表面４及び裏面５の両面から帯状物接着部材１０により接合することで、帯状物２を環状状態に固定する。最後に、首輪連結部材３の環状部９に首輪１１を挿通する。このような手順により、本実施形態の愛玩動物用の患部舐め防止器具１は形成される。
【００４５】
そして、この本実施形態の愛玩動物用の患部舐め防止器具１を、犬の口吻から首に通した後、本実施形態の愛玩動物用の患部舐め防止器具１のうち、帯状物２のみを犬の頭の方向へ少し持ち上げ、帯状物２の裏面５に覆い隠されていた首輪１１を露出させ、犬の首のサイズに合うように首輪１１を締める。
【００４６】
以上の手順によって、本実施形態の愛玩動物用の患部舐め防止器具１を犬の首に装着する。これにより、皮膚病や手術後の犬が、患部を噛んだり舐めたりする際に、首を曲げようとしても、帯状物２は、長さ方向の裏面５方向（図２に示すＡ方向）以外の方向、例えば図に示すＢ方向には素材の復元力が強く、屈曲困難であるため、犬の口先が患部に届くまで首を曲げることができない。またその際に、犬は、帯状物２の強い抵抗を、幅方向と厚み方向に圧縮性を有するクッション部材６により軟らかく感じるため、首を痛めるおそれもない。
【００４７】
また、本実施形態の愛玩動物用の患部舐め防止器具１は、エリザベスカラーのように、犬の顔の周囲を覆い、視野の大部分を遮るものではなく、図１、図７に示すように、犬の首部分のみを覆うものである。すなわち、食事や睡眠、移動等の生活上の行動を不自由なく過ごせるため、本実施形態の愛玩動物用の患部舐め防止器具１を装着することによるストレスを感じない。
【００４８】
さらに、首輪連結部材３で帯状物２と首輪１１を連結しているため、本実施形態の愛玩動物用の患部舐め防止器具１が、犬が首から脱落することがない。また、器用な犬であっても、前肢や後肢を使って本実施形態の愛玩動物用の患部舐め防止器具１を取り外すこともできない。さらに、本実施形態の愛玩動物用の患部舐め防止器具１は、帯状物２に犬の鼻先が入らない程度の間隔で首輪連結部材３を取り付けるため、犬が鼻先を帯状物２と首輪１１の間に入れ、そこから顔を通すことにより、帯状物２が脱落するおそれもない。
【００４９】
また、本実施形態の愛玩動物用の患部舐め防止器具１は、紙製発泡体と、不織布１２と、接着性の強いアセテート布粘着テープを構成素材としているため、一般のエリザベスカラーや特許文献１に比べ、非常に軽量であり、犬の負担となり難い。
【００５０】
また、本実施形態の愛玩動物用の患部舐め防止器具１は、紙性発泡体であるため、万が一犬が食べてしまっても安全な素材である。さらに、本実施形態の愛玩動物用の患部舐め防止器具１は、犬の病気や患部の治癒後、すなわち使用後は、一般の可燃物として処分が可能である。
【００５１】
なお、本実施形態の愛玩動物用の患部舐め防止器具１は、接着部７が帯状物２の表面４及び裏面５の幅方向と、厚み面１４の厚み方向を接着する構成を示したが、本発明はこれに限定されない。すなわち、接着部７ａが、表面４の幅方向に２分の１以上接着し、接着部７ｂが裏面５の幅方向に２分の１以上接着していれば、帯状物２と首輪連結部材３の連結を十分に維持できる。
【００５２】
また、本実施形態の愛玩動物用の患部舐め防止器具１は、首輪連結部材３の素材として、接着性の強いアセテート布粘着テープを採用しているが、本発明はこれに限定されない。すなわち、接着性の強いテープであればなんでも良い。
【００５３】
また、本実施形態の愛玩動物用の患部舐め防止器具１は、帯状物２を、帯状物接着部材１０により環状に固定し、犬の口吻から首に通して装着する方法を示したが、本発明はこれに限定されない。例えば、板体状の帯状物２を、マフラーのように直接犬の首に巻き付けてから環状にしても良い。
【００５４】
また、本実施形態の愛玩動物用の患部舐め防止器具１は、帯状物２の厚み方向の厚さは、犬のサイズが大きい場合、首を曲げる力や顎の力が強く、その力に対して、クッション部材の素材復元力では、抵抗できない可能性があるため、その場合は犬のサイズに合わせて厚くするという構成を示したが、本発明はこれに限定されない。例えば、通常の帯状物２よりも長い帯状物２を、サイズの大きい犬の首に２重、３重に巻き付けることにより環状にし、装着しても良い。
【符号の説明】
【００５５】
１  愛玩動物用の患部舐め防止器具
２  帯状物
３  首輪連結部材
４  表面
５  裏面
６  クッション部材
７  接着部
８  紐状部
９  環状部
１０  帯状物接着部材
１１  首輪
１２  不織布
１３  筋
１４  厚み面
【図１】
2015047111.tif 000003
【図２】
2015047111.tif 000004
【図３】
2015047111.tif 000005
【図４】
2015047111.tif 000006
【図５】
2015047111.tif 000007
【図６】
2015047111.tif 000008
【図７】
2015047111.tif 000009
【図８】
2015047111.tif 000010
【図９】
2015047111.tif 000011